(57)【要約】【課題】  質感の違いや立体感を与える印刷によって表示領域を区画できる表示板を備えた車両用表示装置を提供する。【解決手段】  車両情報を表示するための意匠を形成してなる表示板４と、この表示板４を透過照明する複数のバックライト５２，５３，５５と、前記車両情報に応じてバックライト５２，５３，５５を点灯／消灯制御する制御手段５４と、を備え、表示板４は、バックライト５５の点灯／消灯によって、車両の状態を表す表示灯３を含む表示灯エリア４５と、前記車両情報の計測値を表す計測情報表示部１，２を含む計測表示エリア４４とが形成され、表示灯エリア４５における透明基板４３の背面側に、前記車両情報を示す表示意匠及びその背景が印刷されてなる背面印刷層４５１と、計測表示エリア４４における透明基板４３の表示面側に、計測情報表示部１，２の背景が印刷されてなる表示面印刷層４４１とを設けてなる。【選択図】  図１
2013113699.tif 000002
【特許請求の範囲】
【請求項１】
車両情報を表示するための意匠を形成してなる表示板と、
この表示板を透過照明する複数のバックライトと、
前記車両情報に応じて前記バックライトを点灯／消灯制御する制御手段と、
を備える車両用表示装置であって、
前記表示板は、
前記バックライトの点灯／消灯によって、車両の状態を表す表示灯を含む表示灯エリアと、
前記車両情報の計測値を表す計測情報表示部を含む計測表示エリアと、が透明基板に印刷して形成され、
前記表示灯エリアにおける前記透明基板の背面側に、前記車両情報を示す表示意匠及びその背景が印刷されてなる背面印刷層と、
前記計測表示エリアにおける前記透明基板の表示面側に、前記計測情報表示部の背景が印刷されてなる表示面印刷層と、
を設けてなることを特徴とする車両用表示装置。
【請求項２】
前記表示面印刷層は、前記計測表示エリアの背景を示す第１の背景層と、前記計測表示エリアと前記表示灯エリアを含むように形成される透光性のオーバーコートと、このオーバーコートの表示面側に前記計測表示エリアの背景を示す第２の背景層を部分的に形成してなることを特徴とする請求項１に記載の車両用表示装置。
【発明の詳細な説明】
【技術分野】
【０００１】
本発明は、印刷によって意匠が形成された表示板を備えた車両用表示装置に関し、特に、複数の車両情報を表示する複合式の車両用表示装置に好適である。
【背景技術】
【０００２】
この種の車両用表示装置として、例えば、下記特許文献１に開示されるように、回路基板と、この回路基板に搭載された光源と、この光源に対応する位置に透光性の表示部を備えた表示板とを有しており、光源の点灯により透光性の表示部を発光表示させるものである。
【０００３】
そして表示板は、透光性の基板と、この基板の背面側に形成された遮光層と、この遮光層の一部をインジケータマークの形状に抜き形成してなる表示部と、この表示部に対応した抜き部を有して基板の前面に形成された遮光性を有する地色層と、抜き部を覆うように基板の前面側に形成される光吸収性層（スモーク層）とを備えており、光源の消灯時は、光吸収性層の作用により表示部が殆ど見えなくなっている。
【先行技術文献】
【特許文献】
【０００４】
【特許文献１】特開２０１１−１９６９７６号公報
【発明の概要】
【発明が解決しようとする課題】
【０００５】
これら車両用表示装置にあっては、車両情報として計測値など表示される値が刻々と変化して、比較的更新周期の高い情報を、強調して表現するために、加飾した表示板を用いることがある。また、表示領域以外を隠す見返し部材や、装飾リングなどによって他の表示と区画した印象を与えるものがあった。
【０００６】
しかしながら、複数の車両情報を一枚の表示板を用いて表示する構成の場合にあっては、充分に区画した印象を与えるに至らず、特に、警告灯が消灯時にあっては、車両利用者の視線を該更新周期の高い情報の表示へ誘導する点で充分でなかった。
【０００７】
そこで本発明の目的は、上述した課題に着目してなされ、質感の違いや立体感を与える印刷によって表示領域を区画できる表示板を備えた車両用表示装置を提供することにある。
【課題を解決するための手段】
【０００８】
本発明の車両用表示装置は、車両情報を表示するための意匠を形成してなる表示板と、この表示板を透過照明する複数のバックライトと、前記車両情報に応じて前記バックライトを点灯／消灯制御する制御手段と、を備える車両用表示装置であって、前記表示板は、前記バックライトの点灯／消灯によって、車両の状態を表す表示灯を含む表示灯エリアと、前記車両情報の計測値を表す計測情報表示部を含む計測表示エリアと、が透明基板に印刷して形成され、前記表示灯エリアにおける前記透明基板の背面側に、前記車両情報を示す表示意匠及びその背景が印刷されてなる背面印刷層と、前記計測表示エリアにおける前記透明基板の表示面側に、前記計測情報表示部の背景が印刷されてなる表示面印刷層と、を設けてなることを特徴とする。
【０００９】
また、前記表示面印刷層は、前記計測表示エリアの背景を示す第１の背景層と、前記計測表示エリアと前記表示灯エリアを含むように形成される透光性のオーバーコートと、このオーバーコートの表示面側に前記計測表示エリアの背景を示す第２の背景層を部分的に形成してなることを特徴とする。
【発明の効果】
【００１０】
本発明は、印刷によって意匠が形成された表示板を備えた車両用表示装置に関し、質感の違いや立体感を与える印刷によって表示領域を区画できる表示板を備えた車両用表示装置となる。
【図面の簡単な説明】
【００１１】
【図１】本発明の実施の形態である車両用計器の断面図。
【図２】同上の実施の形態における表示例を示す図。
【図３】同上の実施の形態における表示板等の要部断面図。
【発明を実施するための形態】
【００１２】
以下、本発明の車両用表示装置の実施の形態として、自動車やオートバイなどに搭載される車両用計器に適用したものを例に挙げて、図面を用いて説明する。
【００１３】
図１，２に示すように、車両用計器Ａは、アナログ計器１と、液晶表示パネル２と、表示灯３とによって車両情報を表示するもので、表示板４と、回路基板５と、ケース６とを共用する複合計器である。
【００１４】
アナログ計器１は、回路基板５に実装されたモータからなる駆動源５１によって回動する指針１１と、この指針１１によって指示される目盛りや数値などの指標部４１が表示板４に印刷されてなる。なお、指針１１や指標部４１には、それぞれ専用のバックライト５２，５３が回路基板５に実装されている。また、駆動源５１は、回路基板５に実装されたマイクロコンピュータ等から構成される制御手段５４による制御プログラムと、車両用計器Ａ外から通信によって得られる車両情報とによって、指針１１が計測値に応じた所望の指標部４１を指示するように駆動制御される。従って、車両利用者は、指針１１と指標部４１との対比判読によって、計測値を読み取ることができる。この場合、車両の走行速度について確認できる。
【００１５】
液晶表示パネル２は、図２に示すように、アナログ計器１に示す車両情報（走行速度）以外の車両情報を表示するため、制御手段５４の制御によって車両情報を数値やバー表示などによって表現することができる。液晶表示パネル２は、制御手段５４からの制御信号を入力できるように回路基板５の配線と接続されるとともに、表示領域を表示板３の切り欠き窓４２を介して臨めるように設けられる。また、液晶表示パネル２は、背面側の回路基板５に対向するバックライトが実装されている。
【００１６】
この場合、液晶表示パネル２は、バー表示にて示される燃料残量や、数値にて示される燃料消費率や積算走行距離（ＯＤＯ）、区間走行距離（ＴＲＩＰ）などが表示され、この他、図示しない操作スイッチによる操作信号に応じて、画面切り換えして、他の車両情報、例えば、車両外温度（外気温度）や平均燃料消費率、平均走行速度、時刻、メンテナンス情報などを表示することができる。
【００１７】
表示灯３は、図２，３に示すように、インジケータや警告灯などの車両情報を表示するものであり、車両利用者による操作状態や車両の警告状態を表示するものである。また、表示灯３は、制御手段５４からの駆動制御によって点灯／消灯が切り換えられるバックライト５５と、表示板４によってバックライト５５の照明を所定形状で透過するように設けてなる。
【００１８】
また、表示灯３には、回路基板５における被透過照明部分に対向する位置にバックライト５５が実装され、バックライト５５が対象外の表示部分を照らさないように、表示板４と回路基板５とのスペーサとして兼用される遮光壁６１が設けられる。この場合、表示灯３は、パーキングブレーキや前照灯のインジケータ、エンジンやバッテリの異常状態を知らせる警告灯が用意される。
【００１９】
表示板４は、合成樹脂からなる透明基板４３に、印刷形成することによって、アナログ計器１や液晶表示パネル２などの計測値などを含む計測表示エリア４４と、表示灯３などの状態表示を行う表示灯エリア４５と、を設けている。
【００２０】
計測表示エリア４４には、透明基板４３の表示面側に、アナログ計器１や液晶表示パネル２からなる計測情報表示部の指標部４１や背景が印刷されてなる表示面印刷層４４１が形成されている。この場合、表示面印刷層４４１は、透明基板４３面に設けられる指標部４１（例えば、光透過性の白色）の指標層４４１ａと、指標部４１以外の背景として、指標部４１部分を切り欠いた第１の背景層（例えば、遮光性の青色）４４１ｂと、この指標層４４１ａや第１の背景層４４１ｂ、表示灯エリア４５の透明基板４３の表示面側を含む表示板４の全面を覆う光透過性のオーバーコート４４１ｃと、このオーバーコート４４１ｃ上で、かつ第１の背景層４４１ｂに対応する位置で所定パターンにて設けられる第２の背景層（例えば、第１の背景層４４１ｂと同様の遮光性の青色）４４１ｄとが設けられる。この場合、オーバーコート４４１ｃは、光拡散剤を含む透明な層（所謂、艶消し層）が適用され、外光による反射によって、視認性が悪くなることを防止できる。
【００２１】
また、第２の背景層４４１ｄは、所定間隔おいて設けられる帯状にて形成され、第１の背景層４４１ａとオーバーコート４４１ｃを介して部分的に設けられることによって、第１の背景層４４１ａから浮いているような立体感を与えた表示となるだけでなく、表示灯エリア４５のオーバーコート４４１ｃによる質感と、第２の背景層４４１ｄによる部分的な印刷による表面変化のある質感とが、大きく異なるようにできる。なお、第２の背景層４４１ｄは、第１の背景色４４１ａと同様の色にて帯状に設けるものを示したが、デザインによって、第１の背景色４４１ａとは異なる色で、ドット状や、不均一な形状などでもよく、例えば、カーボン調、木目調、金属調などにすることもできる。
【００２２】
表示灯エリア４５には、透明基板４３の背面側（バックライト５５側）に、背面印刷層４５１が形成される。背面印刷層４５１は、車両情報を示す表示意匠の形状が透過照明されるように切り欠き、表示面印刷層４４１と異なる色にて、表示灯エリア４５の背景を形成する第３の背景層（例えば、遮光性の黒色）４５１ａと、前記表示意匠の対応位置においてバックライト５５の照明光に対して光透過性の着色顔料を含む透過層（例えば、スモーク層）４５１ｂと、が印刷されてなる。なお、表示面印刷層４４１と第３の背景層４５１ａとを異なる色にて形成することで、色によるエリアの区別ができる。
【００２３】
表示灯エリア４５は、オーバーコート４４１ｃと透明基板４３とを介して、第３の背景層４５１ａが視認される。従って、表示灯エリア４５は、透明基板４３などを介さずに視認される表示面印刷層４４１を設けた計測表示エリア４４に対して奥まって視認されるため、単一の表示板４であっても立体感を与えることができるだけでなく、印刷位置の関係で各エリア４４，４５を区分することができる。また、計測表示エリア４４を表示面側に設けることによって、消灯状態の表示灯エリア４５に対して、より目立つように構成できるため、計測値の視認性を高めることができる。
【００２４】
回路基板５は、駆動源５１、バックライト５２，５３，５５、制御手段５４などの電子部品を実装してなり、液晶表示パネル２や、電源や通信等のため外部接続するためのケーブルなどと接続している。回路基板５は、車両情報に応じて各表示を制御するものであり、表示板２の背面側に所定間隔おいてケース６に保持されている。
【００２５】
ケース６は、前述遮光壁６１と、アナログ計器１や液晶表示パネル２、表示灯３による表示を視認できるように合成樹脂からなる透明な窓部６２と、回路基板５など非表示部分を隠して収納する遮光性のカバー６３とを設けてなり、ビスやフックによる組み付けによって、表示板４や回路基板５を保持しながら収納できる。
【００２６】
斯かる車両用計器にあっては、車両情報を表示するための意匠を形成してなる表示板４と、この表示板４を透過照明する複数のバックライト５２，５３，５５と、前記車両情報に応じてバックライト５２，５３，５５を点灯／消灯制御する制御手段５４と、を備える車両用表示装置であって、表示板４は、バックライト５５の点灯／消灯によって、車両の状態を表す表示灯３を含む表示灯エリア４５と、前記車両情報の計測値を表す計測情報表示部１，２を含む計測表示エリア４４と、が透明基板４３に印刷して形成され、表示灯エリア４５における透明基板４３の背面側に、前記車両情報を示す表示意匠及びその背景が印刷されてなる背面印刷層４５１と、計測表示エリア４４における透明基板４３の表示面側に、計測情報表示部１，２の背景が印刷されてなる表示面印刷層４４１と、を設けてなる。
【００２７】
従って、質感の違いや立体感を与える印刷によって表示領域を区画できる表示板４となり、車両利用者は、視認領域を判別しやすい車両用表示装置となる。
【００２８】
また、表示面印刷層４４１は、計測表示エリア４４の背景を示す第１の背景層４４１ａと、計測表示エリア４４と表示灯エリア４５を含むように形成される透光性のオーバーコート４４１ｃと、このオーバーコート４４１ｃの表示面側に計測表示エリア４４の背景を示す第２の背景層４４１ｄを部分的に形成してなることによって、計測表示エリア４４と表示灯エリア４５との表面質感を異ならせることができるため、車両用表示装置を視認する車両利用者に対して、区画された印象を与えることができる。
【００２９】
本発明の車両用表示装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、計測表示エリア４４は、計測値に応じて回動する指針１１の指標部４１が印刷形成されているが、指標部４１だけでなく、指針１１の回動範囲が、バックライト５３によって、透過照明されてなることによって、夜間等においても計測値を表示する部分の判別性を高めて、視認性をさらに向上できる。
【産業上の利用可能性】
【００３０】
本発明は、車両に搭載して各種車両情報を表示する車両用表示装置に関して、例えば、自動車やオートバイ、あるいは農業機械や建設機械を備えた移動体に搭載される表示装置に適用でき、特に、建設機械などの特殊車輌の表示モニタにあっては、多種多様な情報を表示する複合計器として好適である。
【符号の説明】
【００３１】
１      アナログ計器（計測情報表示部）
１１    指針
２      液晶表示パネル（計測情報表示部）
３      表示灯
４      表示板
４１    指標部
４２    切り欠き窓
４３    透明基板
４４    計測表示エリア
４４１  表示面印刷層
４４１ａ  第１の背景層
４４１ｂ  指標層
４４１ｃ  オーバーコート
４４１ｄ  第２の背景層
４５    表示灯エリア
４５１  背面印刷層
４５１ａ  第３の背景層
４５１ｂ  透過層
５      回路基板
５１    駆動源
５２    バックライト（指針用光源）
５３    バックライト（指標部用光源）
５４    制御手段
５５    バックライト（表示灯用光源）
６      ケース
６１    遮光壁
６２    窓部
６３    カバー
Ａ      車両用計器（車両用表示装置）
【図１】
2013113699.tif 000003
【図２】
2013113699.tif 000004
【図３】
2013113699.tif 000005